(57)【特許請求の範囲】
【請求項１】
締付保持孔及び前記締付保持孔に連設した案内切欠を弾性板に形成することにより、前記案内切欠で分離された一対の係合板部及び前記一対の係合板部を連設する連設板部が前記弾性板に形成され、且つ前記一対の係合板部を重ね合わせたときに互いに係止可能な係止部が前記一対の係合板部にそれぞれ設けられている結束具であって、
前記締付保持孔に沿って両側部まで延びる切り込み又はスリットを前記連設板部に形成することにより、前記切り込み又はスリットが前記締付保持孔と前記連設板部の前記締付保持孔とは反対側の端部との間に位置させられていることを特徴とする結束具。
る結束具。
【請求項２】
前記スリットは前記締付保持孔に沿って円弧状又はコ字状に延びることを特徴とする請求項１に記載の結束具。
【請求項３】
前記スリットの両端を結ぶ線は前記締付保持孔の略中心に来るように設定されていることを特徴とする請求項２に記載の結束具。
【発明の詳細な説明】
【０００１】
【発明の属する技術分野】
この発明は、製品を収容した袋の口部（開口端部）等を絞り閉成するのに使用する結束具に関するものである。
【０００２】
【従来の技術】
この種の結束具としては、例えば図９〜図１４に示したようなものが考えられている。即ち、食品等の製品を収容する製品収納袋１の口部（開口端部）１ａを閉成する結束具としては、図９に示したように合成樹脂製で薄肉板状のクリップ板（クリップ）２が考えられている。
【０００３】
この結束具としてのクリップ板２は、図１０〜図１２に示したように、合成樹脂製で薄肉の弾性板３と、この弾性板３に形成された締付保持孔４と、弾性板３に形成され且つ締付保持孔４に連設されたテーパ状の案内切欠５を有する。そして、弾性板３には、締付保持孔４及び案内切欠５により分離された一対の係合板部３ａ，３ｂ及び一対の係合板部３ａ，３ｂを連設する連設板部３ｃが形成されている。また、係合板部３ａ，３ｂの基部（締付保持孔４の側方）にはピン挿通穴６，６が形成されている。
【０００４】
この様なクリップ板２は、例えば図示しない自動結束機で製品収納袋１の口部１ａに組み付けられて、製品収納袋１の口部１ａを閉成する。即ちこの場合、まず、食品等を収容させた後製品収納袋１をコンベアによりクリップ取付用の図示しない自動結束機の部分まで搬送する。
【０００５】
一方、この自動結束機のステージにおいては、図示しない一対のピンがクリップ板２のピン挿通孔６，６に挿通されていて、コンベアにより搬送される製品収納袋１の口部（開口端部）１ａがクリップ板２の案内切欠５を介して締付保持孔４内まで案内される。この後、自動結束機は、一対のピンを互いに接近する方向に駆動して、クリップ板２のピン挿通穴６，６を図１２の如く接近させると共に、クリップ板２の係合板部３ａ，３ｂを重ね合わせて、製品収納袋１の口部１ａを絞って締付保持する様になっている。
【０００６】
そして、自動結束機は、次に係合板部３ａ，３ｂの重ね合わせ部を図示しないプレス手段でプレス加工することにより、図１３に示したように係合板部３ａ，３ｂに互いに嵌合する膨出凸部７，８を形成させて、係合板部３ａ，３ｂを膨出凸部７，８で固定する様になっている。
【０００７】
この様にして製品収納袋１の口部１ａはクリップ板２により閉成（結束）される様になっていた。
【０００８】
この様に口部１ａが結束された製品収納袋１においては、膨出凸部７，８の嵌合部の摩擦力により係合板部３ａ，３ｂが固定されていると共に、口部１ａはクリップ板２により一箇所で絞られた状態で閉成されている。この際、口部１ａには絞りにより発生する折り目や皺等があり、口部１ａは絞り部１ｂから離れるに従って広がるために、クリップ板２が締付保持孔４の部分において口部１ａの一箇所に食い込む力が発生する。これにより、口部１ａの一箇所にはクリップ板２による結束保持力が作用することになる。
【０００９】
この様にクリップ板２の結束保持力は、締付保持孔４により絞り込む力と、クリップ板２が締付保持孔４の部分において口部１ａに食い込んだりする力の合成力によることになる。
【００１０】
【発明が解決しようとする課題】
しかしながら、口部１ａのクリップ板２をつまんで持ち上げたりすると、梃子の原理で製品収納袋１の口部１ａと接触しているところに大きな力が発生し、クリップ板２が口部１ａの部分でずれる。これにより、口部１ａの絞り部１ｂは、図１４の如く一箇所で細く絞られた状態から図１５の如く更に上下に変則的に絞られることになる。そして、この様に口部１ａが変則的に絞られると、クリップ板２による口部１ａの結束保持力が低下し、弱い力でクリップ板２が更にずれたり口部１ａから外れたりする虞があった。
【００１１】
そこで、この発明は、製品収納袋の口部を弾性板の締付保持孔で絞って結束保持した状態において、この弾性板をつまんで製品収納袋を持ち上げても、弾性板が結束位置からずれるのを防止できる結束具を提供することを目的とするものである。
【００１２】
【課題を解決するための手段】
この目的を達成するため、請求項１の発明は、締付保持孔及び前記締付保持孔に連設した案内切欠を弾性板に形成することにより、前記案内切欠で分離された一対の係合板部及び前記一対の係合板部を連設する連設板部が前記弾性板に形成され、且つ前記一対の係合板部を重ね合わせたときに互いに係止可能な係止部が前記一対の係合板部にそれぞれ設けられている結束具であって、前記締付保持孔に沿って両側部まで延びる切り込み又はスリットを前記連設板部に形成することにより、前記切り込み又はスリットが前記締付保持孔と前記連設板部の前記締付保持孔とは反対側の端部との間に位置させられている結束具としたことを特徴とする。
【００１３】
また、請求項２の発明は、前記スリットは前記締付保持孔に沿って円弧状又はコ字状に延びることを特徴とする。更に、請求項３の発明は、前記スリットの両端を結ぶ線は前記締付保持孔の略中心に来るように設定されていることを特徴とする。
【００１４】
【発明の実施の形態】
以下、この発明の実施の形態を図面に基づいて説明する。
【００１５】
図１（ａ）〜図１（ｃ），図２において、１は食品等の製品を収容する製品収納袋、１ａは製品収納袋１の口部（開口端部）、２は口部１ａを閉成する略Ｕ字状のクリップ板（袋結束具）、１ｂは結束具２により結束された絞り部（結束部）である。
【００１６】
この結束具としてのクリップ板２は、図４に示したように、合成樹脂製で薄肉の弾性板３と、この弾性板３に形成された締付保持孔４と、弾性板３に形成され且つ締付保持孔４に連設された案内切欠５を有する。この案内切欠５は、締付保持孔４から離反するに従って幅が徐々に広くなるように緩い円弧でテーパ状に形成されている。また、弾性板３には放射状に等ピッチで締付保持孔４に開口する切欠４ａが多数形成されている。この切欠４ａを設けることで、切欠４ａ，４ａ間には凸部４ｂが形成されている。
【００１７】
そして、弾性板３には、締付保持孔４及び案内切欠５により分離された一対の係合板部３ａ，３ｂ及び一対の係合板部３ａ，３ｂを連設する連設板部３ｃが形成されている。また、係合板部３ａ，３ｂの基部（締付保持孔４の側方）にはピン挿通穴６，６が形成されている。
【００１８】
また、係合板部３ａ，３ｂの先端部にはフック部３ａ１，３ｂ１がそれぞれ形成され、連設板部３ｃの締付保持孔４とは反対側の端部には凸部３ｄが形成されている。また、連設板部３ｃには、締付保持孔４に沿って側方まで円弧状に延びるスリット３ｅが形成されている。
【００１９】
次に、この様な構成の結束具の作用を説明する。
【００２０】
この様なクリップ板２は、例えば図示しない自動結束機で製品収納袋１の口部１ａに組み付けられて、製品収納袋１の口部１ａを閉成する。即ちこの場合、まず、食品等を収容させた後製品収納袋１をコンベアによりクリップ取付用の図示しない自動結束機の部分まで搬送する。
【００２１】
一方、この自動結束機のステージにおいては、図示しない一対のピンがクリップ板２のピン挿通孔６，６に挿通されていて、コンベアにより搬送される製品収納袋１の口部（開口端部）１ａがクリップ板２の案内切欠５を介して締付保持孔４内まで案内される。この後、自動結束機は、一対のピンを互いに接近する方向に駆動して、クリップ板２のピン挿通穴６，６を図１（ｂ），図２，図５の如く接近させると共に、クリップ板２の係合板部３ａ，３ｂを重ね合わせることにより、製品収納袋１の口部１ａを絞って締付保持する様になっている。
【００２２】
そして、自動結束機は、次に係合板部３ａ，３ｂの重ね合わせ部を図示しないプレス手段でプレス加工することにより、図３に示したように係合板部３ａ，３ｂに互いに嵌合する膨出凸部（係止部）７，８を形成させて、係合板部３ａ，３ｂを膨出凸部７，８で固定する様になっている。
【００２３】
この様にして製品収納袋１の口部１ａはクリップ板２により閉成（結束）される様になっていた。
【００２４】
この様に口部１ａが結束された製品収納袋１においては、膨出凸部７，８の嵌合部の摩擦力により係合板部３ａ，３ｂが固定されていると共に、口部１ａはクリップ板２により一箇所で絞られた状態で閉成されている。この際、口部１ａには絞りにより発生する折り目や皺等があり、口部１ａは絞り部１ｂから離れるに従って広がるために、クリップ板２が締付保持孔４の部分において口部１ａの一箇所に食い込む力が発生する。これにより、口部１ａの一箇所にはクリップ板２による結束保持力が作用することになる。
【００２５】
この様にクリップ板２の結束保持力は、締付保持孔４により絞り込む力と、クリップ板２が締付保持孔４の部分において口部１ａに食い込んだりする力の合成力によることになる。
【００２６】
この状態で、クリップ板２の凸部３ｄをつまんで持ち上げると、連設板部３ｃがスリット３ｅの両端に対応する部分から図７の如く撓んで上方に回動する。この際、クリップ板２が製品収納袋１の口部１ａと接触しているところに大きな力が発生せず、クリップ板２が口部１ａの部分でずれることがない。この結果、口部１ａの絞り部１ｂは更に上下に変則的に絞られることがないので、クリップ板２による口部１ａの結束保持力が低下することがなく、弱い力でクリップ板２が更にずれたり口部１ａから外れたりすることもない。
（その他）
以上説明した実施例では、スリット３ｅを円弧状に形成したが必ずしもこれに限定されるものではない。例えば、図８に示したようにスリット３ｅはコ字状でもよい。尚、スリット３ｅは、図５の様に係合板部３ａ，３ｂを重ね合わせて結束したときに、両端を結ぶ線が締付保持孔４の略中心に来るように設定するのが望ましい。
【００２７】
また、上述した実施例では弾性板３にスリット３ｅを設けた構成としたが、必ずしもスリット３ｅである必要がない。例えば、スリット３ｅに代えて切り込みを設けた構成としてもよい。この場合、切り込みを設ける位置や長さはスリット３ｅと同様にする。
【００２８】
更に、上述したクリップ板２は、ワイヤ等の線状部材や他の製品のの結束に用いることもできる。
【００２９】
【発明の効果】
以上説明したように、請求項１の発明は、締付保持孔及び前記締付保持孔に連設した案内切欠を弾性板に形成することにより、前記案内切欠で分離された一対の係合板部及び前記一対の係合板部を連設する連設板部が前記弾性板に形成され、且つ前記一対の係合板部を重ね合わせたときに互いに係止可能な係止部が前記一対の係合板部にそれぞれ設けられている結束具であって、前記締付保持孔に沿って両側部まで延びる切り込み又はスリットが前記連設板部に形成されている構成としたので、製品収納袋の口部を弾性板の締付保持孔で絞って結束保持した状態において、この弾性板をつまんで製品収納袋を持ち上げても、弾性板が結束位置からずれるのを防止できる。
【図面の簡単な説明】
【図１】（ａ）はこの発明に係る結束具で結束された製品収納袋の側面図、（ｂ）は（ａ）の要部拡大斜視図、（ｃ）は（ｂ）の製品収納袋を右斜め上方から見た斜視図である。
【図２】図１（ｂ）の制振収納袋を左斜め上方から見た斜視図である。
【図３】図２のＡ−Ａ線に沿う断面図である。
【図４】図１〜図３に示した結束具の使用前の平面図である。
【図５】図４に示した結束具の使用状態の平面図である。
【図６】図１（ｃ）のＢ−Ｂ線に沿う断面図である。
【図７】図６の作用説明図である。
【図８】この発明に係る結束具の変形例を示す平面図である。
【図９】従来の結束具で結束された製品収納袋の側面図である。
【図１０】図９の要部拡大斜視図である。
【図１１】図１０の結束具の使用前の平面図である。
【図１２】図１１の結束具の使用状態を示す平面図である。
【図１３】図１２のＤ−Ｄ線に沿う断面図である。
【図１４】図１０のＣ−Ｃ線に沿う断面図である。
【図１５】図１４の作用説明図である。
【符号の説明】
１・・・製品収納袋
１ａ・・・口部（開口端部）
１ｂ・・・絞り部（結束部）
２・・・クリップ板（袋結束具）
３・・・弾性板
３ａ，３ｂ・・・係合板部
３ｃ・・・連設板部
３ｅ・・・スリット
４・・・締付保持孔
５・・・案内切欠
７，８・・・膨出凸部（係止部）
【図１】
0004352608.tif 000002
【図２】
0004352608.tif 000003
【図３】
0004352608.tif 000004
【図４】
0004352608.tif 000005
【図５】
0004352608.tif 000006
【図６】
0004352608.tif 000007
【図７】
0004352608.tif 000008
【図８】
0004352608.tif 000009
【図９】
0004352608.tif 000010
【図１０】
0004352608.tif 000011
【図１１】
0004352608.tif 000012
【図１２】
0004352608.tif 000013
【図１３】
0004352608.tif 000014
【図１４】
0004352608.tif 000015
【図１５】
0004352608.tif 000016